(57)【特許請求の範囲】
【請求項１】
ＬＡＮパラメータをオートネゴシエーションモードに設定した複数のネットワーク機器を接続したサーバのＬＡＮパラメータ整合プログラムであって、
前記サーバのコンピュータに、
ネットワーク機器の送信パケットに対するレスポンス時間を計測し、計測結果が所定の時間を超えたとき、前記複数のネットワーク機器の中から前記所定の時間を超えたネットワーク機器のＩＰアドレスを取得するレスポンス遅延検出手順と、
前記ＩＰアドレスの通信速度と通信モードとに対するリンクアップ情報を取得するリンクアップ情報取得手順と、
前記リンクアップ情報の通信モードが半二重であったとき、レスポンス遅延が発生したことを通知するレスポンス遅延通知手順と、
ＬＡＮパラメータの修正指示によって、前記ＩＰアドレスのＬＡＮパラメータの通信速度を前記リンクアップ情報と同一に、通信モードを全二重に修正するパラメータ修正手順と
を実行させるためのＬＡＮパラメータ整合プログラム。
【請求項２】
ＬＡＮパラメータ設定をオートネゴシエーションモードに設定した複数のネットワーク機器を接続したサーバのＬＡＮパラメータ整合プログラムであって、
前記サーバのコンピュータに、
ネットワーク機器の送信パケットに対するレスポンス時間を計測し、計測結果が所定の時間を超えたとき、前記複数のネットワーク機器の中から前記所定の時間を超えたネットワーク機器のＩＰアドレスを取得するレスポンス遅延検出手順と、
前記ＩＰアドレスの通信速度と通信モードとに対するリンクアップ情報を取得するリンクアップ情報取得手順と、
前記リンクアップ情報の通信モードが半二重であったとき、前記ＩＰアドレスのＬＡＮパラメータの通信速度を前記リンクアップ情報と同一に、通信モードを全二重に修正する第一のパラメータ修正手順と
パラメータ修正後の送信パケットに対するレスポンス時間を計測して前記レスポンス時間が所定の時間を超えたとき、前記ＩＰアドレスのＬＡＮパラメータの通信モードを半二重に修正する第二のパラメータ修正手順と
を実行させるためのＬＡＮパラメータ整合プログラム。
【請求項３】
ＬＡＮパラメータ設定をオートネゴシエーションモードに設定した複数のネットワーク機器を接続したサーバのＬＡＮパラメータ整合方法であって、
前記サーバのコンピュータが、
ネットワーク機器の送信パケットに対するレスポンス時間を計測し、計測結果が所定の時間を超えたとき、前記複数のネットワーク機器の中から前記所定の時間を超えたネットワーク機器のＩＰアドレスを取得するレスポンス遅延検出手順と、
前記ＩＰアドレスの通信速度と通信モードとに対するリンクアップ情報を取得するリンクアップ情報取得手順と、
前記リンクアップ情報の通信モードが半二重であったとき、レスポンス遅延が発生したことを通知するレスポンス遅延通知手順と、
ＬＡＮパラメータの修正指示によって、前記ＩＰアドレスのＬＡＮパラメータの通信速度を前記リンクアップ情報と同一に、通信モードを全二重に修正するパラメータ修正手順と
を実行することを特徴とするＬＡＮパラメータ整合方法。
【請求項４】
ＬＡＮパラメータ設定をオートネゴシエーションモードに設定した複数のネットワーク機器を接続したサーバのＬＡＮパラメータ整合方法であって、
前記サーバのコンピュータが、
ネットワーク機器の送信パケットに対するレスポンス時間を計測し、計測結果が所定の時間を超えたとき、前記複数のネットワーク機器の中から前記所定の時間を超えたネットワーク機器のＩＰアドレスを取得するレスポンス遅延検出手順と、
前記ＩＰアドレスの通信速度と通信モードとに対するリンクアップ情報を取得するリンクアップ情報取得手順と、
前記リンクアップ情報の通信モードが半二重であったとき、前記ＩＰアドレスのＬＡＮパラメータの通信速度を前記リンクアップ情報と同一に、通信モードを全二重に修正する第一のパラメータ修正手順と
パラメータ修正後の送信パケットに対するレスポンス時間を計測して前記レスポンス時間が所定の時間を超えたとき、前記ＩＰアドレスのＬＡＮパラメータの通信モードを半二重に修正する第二のパラメータ修正手順と
を実行することを特徴とするＬＡＮパラメータ整合方法。
【請求項５】
ＬＡＮパラメータ設定をオートネゴシエーションモードに設定した複数のネットワーク機器を接続したサーバのＬＡＮパラメータ整合システムであって、
ネットワーク機器の送信パケットに対するレスポンス時間を計測し、計測結果が所定の時間を超えたとき、前記複数のネットワーク機器の中から前記所定の時間を超えたネットワーク機器のＩＰアドレスを取得するレスポンス遅延検出手段と、
前記ＩＰアドレスの通信速度と通信モードとに対するリンクアップ情報を取得するリンクアップ情報取得手段と、
前記リンクアップ情報の通信モードが半二重であったとき、前記ＩＰアドレスのＬＡＮパラメータの通信速度を前記リンクアップ情報と同一に、通信モードを全二重に修正する第一のパラメータ修正手段と
パラメータ修正後の送信パケットに対するレスポンス時間を計測して前記レスポンス時間が所定の時間を超えたとき、前記ＩＰアドレスのＬＡＮパラメータの通信モードを半二重に修正する第二のパラメータ修正手段と
を備えることを特徴とするＬＡＮパラメータ整合システム。
【発明の詳細な説明】
【０００１】
【発明の属する技術分野】
本発明は、ＬＡＮパラメータの設定に対する相違から生ずるレスポンス遅延を解消するＬＡＮパラメータ整合プログラム、ＬＡＮパラメータ整合方法およびＬＡＮパラメータ整合システムに関する。
【０００２】
【従来の技術】
ＬＡＮ（ローカルエリアネットワーク）構築に当たっては、ノード間（例えば、サーバとハブ間）の通信を行うためにＬＡＮパラメータの設定を行う必要がある。ＬＡＮパラメータは一般にオートネゴシエーションモードと固定モードの設定が可能であり、オートネゴシエーションモードはリンクするノード間の通信速度と通信モードの自動選択を行うもので、固定モードは通信速度が１００Ｍｂｐｓと１０Ｍｂｐｓ、通信モードが全二重と半二重の組合せ（即ち、１００Ｍｂｐｓ／全二重、１００Ｍｂｐｓ／半二重、１０Ｍｂｐｓ／全二重、１０Ｍｂｐｓ／半二重の４種類）で直接設定するものである。これらは両者のノードに対してそれぞれ設定を行い、両者のノードがオートネゴシエーションモードで設定されている場合は両者に可能な最高のレベルでネゴシエーションが行われる。例えば、両者のノードの最高レベルが共に１００Ｍｂｐｓ／全二重であった場合は１００Ｍｂｐｓ／全二重でリンクを確立し、一方が１００Ｍｂｐｓ／全二重で他方が１０Ｍｂｐｓ／全二重の場合は１０Ｍｂｐｓ／全二重で確立することになる。また両者のノードにおいて一方がオートネゴシエーションモードで他方が固定モードの場合は半二重で通信が行われるようにＩＥＥＥ８０２．３の標準規格で決められている。
【０００３】
【発明が解決しようとする課題】
ＬＡＮの新規構築において、上記に示したオートネゴシエーション機能を搭載した同一ベンダのネットワーク機器を使用する場合はＬＡＮパラメータの設定上の問題は基本的に少ない。しかし、現実にはＩＥＥＥ８０２．３の仕様に準拠していないネットワーク機器も多く流通しており、加えて旧来からのＬＡＮにオートネゴシエーション機能を搭載していないネットワーク機器が接続されていて、そこにオートネゴシエーション機能搭載のネットワーク機器を追加して拡張する場合など、マルチベンダ環境下ではうまくネットワーク接続できない場合も少なくない。
【０００４】
このような場合に、オートネゴシエーションモードを設定していてもリンク先のネットワーク機器が固定モードの設定であったとき、上述したように半二重で接続が確立してしまうためレスポンスの遅延が発生する。レスポンス遅延が発生した場合は各パケットの再送が行われ、例えばＷｅｂブラウザの画面表示に多くの時間（例えば数分）が掛かるようになる。ネットワークスキルがない者は、ネットワーク構築の際に設定されたＬＡＮパラメータを変えることなくレスポンス遅延が発生していてもそのまま使用しているケースも少なくない。また、ＬＡＮパラメータの設定に問題があると認識してもどの様に修正すればよいか難しいと言う問題もある。更に、リンクアップ状態を調べて遅延が発生しているサーバのネットワーク機器の装置名（物理名）が判ったとして、そのサーバが複数のネットワーク機器（具体的には、ＬＡＮカード）を搭載しているような場合に、ＬＡＮパラメータの設定を変えるには物理名とＩＰアドレス（論理名）との対応を知る必要があり、パラメータの修正に多くの時間を要する、という問題もある。
【０００５】
本発明は、ネットワークスキルのない者でもＬＡＮパラメータの相違によるレスポンスの遅延を検出して修正できるＬＡＮパラメータ整合プログラム、ＬＡＮパラメータ整合方法およびＬＡＮパラメータ整合システムを提供することを目的とする。
【０００６】
【課題を解決するための手段】
本発明の請求項１の原理を図１を用いて説明する。本発明は、レスポンス遅延検出手順１、リンクアップ情報取得手順２、レスポンス遅延通知手順３およびパラメータ修正手順４から構成する。
レスポンス遅延検出手順１は、オートネゴシエーションモードに設定したネットワーク機器のレスポンスの遅延を検出して遅延の発生したＩＰアドレスを取得するものである。遅延の判定は、例えば送信パケットの送出時からＡＣＫ（応答確認信号）の受信時までのレスポンス時間を計測し、そのレスポンス時間が所定の時間を超えたら遅延と判断する。
【０００７】
リンクアップ情報取得手順２は、遅延と判断されたＩＰアドレスのリンクの確立状態を調べるもので、具体的には通信速度（１００Ｍｂｐｓか１０Ｍｂｐｓか）と通信モード（全二重か半二重化）を調べる。
レスポンス遅延通知手順３は、リンクアップ情報の通信モードが半二重であったとき、レスポンス遅延が発生したことを通知する。リンクアップの通信モードが半二重であったと言うことは、自らのＬＡＮパラメータの設定がオートネゴシエーションモードであるので、リンク先のネットワーク機器は固定モードの設定であることになり、一般にオートネゴシエーション機能が搭載されていない機器と判断できる（オートネゴシエーション機能が搭載されていれば特殊な事情が無い限りオートネゴシエーションモードに設定するのが一般的である）。このため、ＬＡＮパラメータの設定相違によるレスポンス遅延である可能性が高い。
【０００８】
パラメータ修正手順４は、リンク先のＬＡＮパラメータの設定に合わせるために自らのＬＡＮパラメータの設定の修正を行う。オペレータから指示があると、通信速度をリンクアップ情報の値に、通信モードを全二重とするように修正を行う。
以上の構成により、ネットワークスキルの無い者であっても、レスポンス遅延の通知を受けたとき、例えばネットワーク管理者等にリンク先のＬＡＮパラメータの通信モードの設定値を調べて貰い、通信モードが全二重であったとき自らのＬＡＮパラメータの修正指示をするだけで容易に修正ができ、レスポンス遅延の解決を図ることができる。
【０００９】
次に請求項２の原理を図２を用いて説明する。請求項２の発明は、レスポンス遅延検出手順１、リンクアップ情報取得手順２、第一のパラメータ修正手順５および第二のパラメータ修正手順６から構成する。
レスポンス遅延検出手順１とリンクアップ情報取得手順２は、前述と同一であるので説明を省略する。
【００１０】
第一のパラメータ修正手順５は、リンクアップ情報の通信モードが半二重であった場合に、通信速度をリンクアップ情報の通信速度に、通信モードを全二重にするようＬＡＮパラメータの設定を修正する。即ち、リンクの状態が半二重であることからリンク先のネットワーク機器がオートネゴシエーション機能を搭載してなく、全二重に通信モードが設定されているものと見なして、自らの通信モードを全二重に修正する。
【００１１】
第二のパラメータ修正手順６は、第一のパラメータ修正手順５で行った修正されたＬＡＮパラメータで送信を行い再度レスポンス時間の測定を行う。その場合に遅延がまだ発生しているようであれば、リンク先の通信モードは半二重であることが確定するので、リンク先の通信モードに合わせて自らのＬＡＮパラメータを半二重に修正する。通信速度は第一のパラメータ修正手順５で行った状態が継続しており（即ち、リンクアップ情報の通信速度）、ここでは修正を行う必要がない。
【００１２】
以上の構成により、ＬＡＮにレスポンス遅延が発生したとき自動的にＬＡＮパラメータの設定相違によるレスポンス遅延の解決を図ることができる。
【００１３】
【発明の実施の形態】
図３〜図９を用いて、実施形態その１を説明する。図３は、本発明に係わる部分の構成を示すもので、ＬＡＮパラメータ整合システム２０とネットワーク機器である複数のＬＡＮカード（Ｓ１〜Ｓｎ）３０を搭載するサーバ１０、ハブ（Ｈ１〜Ｈｎ）４０から構成する。複数のハブ４０は、サーバ１０のＬＡＮカード３０にそれぞれ接続されており、更に個々のハブは図示しないクライアント端末と接続している。ＬＡＮパラメータ整合システム２０は、レスポンス遅延検出部２１、リンクアップ情報取得部２２、レスポンス遅延通知部２３およびパラメータ修正部２４の処理部と、コマンドスクリプトＬ２５、コマンドスクリプトＰ２６およびＬＡＮ情報テーブル２７のデータを格納した記憶部から構成する。
【００１４】
まず、ＬＡＮパラメータ整合システム２０の各処理部から説明する。レスポンス遅延検出部２１は、個々のＬＡＮカード３０のレスポンス時間を計測し、レスポンス時間が所定時間（ここでは２分とする）を超えているＬＡＮカードがあったときは、そのＩＰアドレスを取得する。
リンクアップ情報取得部２２は、遅延のあったＩＰアドレスに対して、リンクアップしている通信速度および通信モードを取得する。このリンクアップ情報の取得は、予めリンクアップの状態を取得する基本のＵＮＩＸコマンドを記述しておき（コマンドスクリプトＬ２５）、この記述にＩＰアドレスの物理名を挿入することによりコマンドスクリプトを完成して実行することにより取得する。
【００１５】
レスポンス遅延通知部２３は、リンクアップ情報の通信モードが半二重であったとき、レスポンス遅延を検出した接続先のクライアント端末に対して、クライアント端末が接続されているハブの通信モードの設定値の調査を行うよう通知する。
パラメータ修正部２４は、サーバのＬＡＮパラメータの修正を行う処理部である。リンク先の通信モードが全二重に設定されていた場合は、クライアント端末からの指示により、サーバはコマンドスクリプトＰ２６を作成してこのコマンドの発行を行い、ＬＡＮパラメータの修正を行う。サーバのＬＡＮパラメータは、通信速度がリンクアップ情報で得た値に、通信モードは全二重に修正される。
【００１６】
次に、記憶部の説明を行う。コマンドスクリプトＬ２５は、リンクアップ情報を取得する基本のＵＮＩＸコマンドを記述したファイルである。この記述に遅延のあったＩＰアドレスの物理名を付け加えてコマンドを完成し、実行することによりリンクアップの情報を得ることができる。図４は、コマンドが完成された記述例を示すもので、リンクアップ情報が書かれているｍｅｓｓａｇｅと言うファイルをｃａｔコマンドで内容を見るようにしている。更に、ｇｒｅｐコマンドによりｍｅｓｓａｇｅファイルの中のｈｍｅ１（ネットワーク機器の物理名、即ち遅延のあったＩＰアドレスの物理名）について検索を行い出力するものである。即ち、ｈｍｅ１のリンクアップの状態を問い合わせている。
【００１７】
コマンドスクリプトＰ２６は、サーバのＬＡＮパラメータを設定する基本のコマンドを記述したファイルである。この記述に修正すべきネットワーク機器の物理名と、通信速度、通信モードを指定してコマンドを完成し、実行を行うことによりＬＡＮパラメータを修正する。図５はコマンドが完成された記述例を示すもので、ｎｄｄ−ｓｅｔコマンドは、ネットワークインターフェースのパラメータを設定するコマンドで、以降に記述するドライバーのパラメータを指定値に設定するコマンドである。即ち、ＬＡＮカードの物理名ｈｍｅ１を通信速度１００Ｍｂｐｓ、通信モードを全二重に設定することを指示している。
【００１８】
ＬＡＮ情報テーブル２７は、それぞれのＬＡＮカードのＩＰアドレスに対応して設定する通信速度と通信モードの値を示すものであり、本テーブルの値を反映してＬＡＮパラメータを設定する。図６はＬＡＮ情報テーブルのデータ構造例を示すもので、ＩＰアドレス、物理名、設定値のフィールドからなる。物理名フィールドは、ＬＡＮパラメータの物理名を指定して設定するためにＩＰアドレスに対応付けている。以上で図３における各構成要素を説明した。次に、これらの構成要素の処理フローについて図７を用いて説明する。まず、送信が行われている各ＩＰアドレスに対して、パケット送信時刻とそのパケットに対するＡＣＫ信号の受信時刻からレスポンス時間の計測を行う。計測した結果が例えば２分を超えていれば、レスポンス遅延があったと見なし、そのＩＰアドレスを取得する。（Ｓ１〜Ｓ３）
遅延のＩＰアドレスに対する物理名をＬＡＮ情報テーブル２７を参照して取得し、コマンドスクリプトＬ２５に書き込む。例えば、遅延の発生したＩＰアドレスが「１９２．１６８．１０．１０」であったとき、ＬＡＮ情報テーブル２７から物理名ｈｍｅ１であることを知り、コマンドスクリプトＬ２５に書き込む（即ち、図４の記述となる）。続いてコマンドスクリプトＬ２５の実行によりコマンドの発行を行う。図８は、このコマンド発行に対する応答例を示すものであり、情報取得を行った日時とホスト名に続いてネットワーク機器の物理名に対する情報が出力されている。即ち、ｈｍｅ１の現状のリンクアップ状態が通信速度が１００Ｍｂｐｓ、通信モードが半二重であることを示している。通信モードが半二重であるので、通信を行っているクライアント端末に対して、レスポンス遅延の発生を通知する。図９は、通知画面の例を示しており、クライアント端末の使用者はこの通知によりネットワーク管理者に画面で指定されたＩＰアドレスに対するリンク先の通信モードの設定を調査して貰う。取得したリンク先の通信モードの設定が半二重であったときは、このまま終了する。レスポンス遅延はＬＡＮパラメータの設定の相違から発生したものではなく別の原因にある。（Ｓ４〜Ｓ７）
リンク先の通信モードが全二重に設定してあれば、クライアント端末の使用者の指示に基づいてサーバは遅延ＩＰアドレスの物理名とリンクアップ情報で得られた通信速度、及び全二重の通信モードをコマンドスクリプトＰに挿入してコマンドスクリプトＰの実行を行う。これにより、ＬＡＮ情報テーブル２７は全二重に修正され、このテーブルの値をＬＡＮパラメータに反映してサーバを再起動することにより、修正したＬＡＮパラメータで通信の確立が行われる。（Ｓ８〜Ｓ１２）
以上の構成と処理フローにより、レスポンス遅延が起こったとき自動的に遅延を検出し、リンク先の通信モードを確認することによりＬＡＮパラメータの整合を図ってレスポンス遅延の解消ができる。
【００１９】
次に、図１０、図１１を用いて、実施形態その２を説明する。図１０は、本発明に係わる部分の構成を示すもので、前述の実施形態その１と比べてパラメータ修正部２４を除いた要素で構成している。これらの各処理部の機能および記憶部のデータ構成例は前述と同一であるので説明は省略する。但し、パラメータ修正部２４はクライアント端末からの指示によるものでなく、リンクアップ情報の内容に基づいてＬＡＮパラメータの修正を自動的に行う。また、ＬＡＮパラメータの修正内容は、次に説明する処理フローによる。
【００２０】
図１０の構成を基にした処理フローを図１１により説明する。ステップＳ２１〜Ｓ２６は、実施形態その１（図７）のステップＳ１〜Ｓ６と同一であるので説明を省略し、ステップＳ２７以降を説明する。
リンクアップ情報で得られた通信モードが半二重であったとき、遅延のあったＩＰアドレスの物理名と、リンクアップ情報の通信速度、および全二重の通信モードをコマンドスクリプトＰに挿入してコマンドスクリプトＰを完成する。続いて、コマンドスクリプトＰを実行してＬＡＮ情報テーブル２７を修正する。更に、ＬＡＮ情報テーブル２７の値をＬＡＮパラメータに反映して、サーバ１０の再起動を行う。これにより、サーバ１０は修正されたＬＡＮパラメータで新たにリンクを確立することになる。この状態でレスポンス時間の計測を行い、レスポンス時間が所定時間以内かどうかを判断する。所定時間以内であれば、リンク先の通信モードとサーバの設定値が共に全二重であったことになり、レスポンス遅延は解決される。（Ｓ２７〜Ｓ３１）
レスポンス時間が所定時間を超えるようであれば、リンク先の通信モードは半二重であるため、コマンドスクリプトＰの通信モードを半二重に設定し、コマンドスクリプトＰを実行してＬＡＮ情報テーブルを修正する。更に、ＬＡＮ情報テーブルの値をＬＡＮパラメータに反映して再度サーバ１０の再起動を行う。即ちここでの一連の処理は、ステップ２７〜Ｓ２９で一旦全二重の通信モードに設定を変えたがリンク先の通信モードが半二重であったため、当初のリンクアップされた状態に戻している。この場合のレスポンス遅延はＬＡＮパラメータの設定の相違から発生したものではなく、別の原因にある。（Ｓ３２〜Ｓ３４）
以上の構成と処理フローにより、レスポンス遅延の検出とＬＡＮパラメータの整合を自動的に行うことができレスポンス遅延の解消を図ることができる。
【００２１】
図３および図１０に示すレスポンス遅延検出部２１〜パラメータ修正部２４はプログラムであり、コンピュータの主記憶上で実行される。
また、本実施形態ではサーバとハブの例を掲げて説明したが、これに捕らわれるものではない。
（付記１）  ＬＡＮパラメータをオートネゴシエーションモードに設定したネットワーク機器に対するＬＡＮパラメータ整合プログラムであって、
送信パケットに対するレスポンス時間を計測して前記レスポンス時間が所定の時間を超えたとき遅延と判断し、ＩＰアドレスを取得するレスポンス遅延検出手順と、
前記ＩＰアドレスの通信速度と通信モードとに対するリンクアップ情報を取得するリンクアップ情報取得手順と、
前記リンクアップ情報の通信モードが半二重であったとき、レスポンス遅延が発生したことを通知するレスポンス遅延通知手順と、
ＬＡＮパラメータの修正指示によって、前記ＩＰアドレスのＬＡＮパラメータの通信速度を前記リンクアップ情報と同一に、通信モードを全二重に修正するパラメータ修正手順と
をコンピュータに実行させることを特徴とするＬＡＮパラメータ整合プログラム。
【００２２】
（付記２）  ＬＡＮパラメータ設定をオートネゴシエーションモードに設定したネットワーク機器に対するＬＡＮパラメータ整合プログラムであって、
ネットワーク機器の送信パケットに対するレスポンス時間を計測し、計測結果が所定の時間を超えたとき、前記ネットワーク機器のＩＰアドレスを取得するレスポンス遅延検出手順と、
前記ＩＰアドレスの通信速度と通信モードとに対するリンクアップ情報を取得するリンクアップ情報取得手順と、
前記リンクアップ情報の通信モードが半二重であったとき、前記ＩＰアドレスのＬＡＮパラメータの通信速度を前記リンクアップ情報と同一に、通信モードを全二重に修正する第一のパラメータ修正手順と
パラメータ修正後の送信パケットに対するレスポンス時間を計測して前記レスポンス時間が所定の時間を超えたとき、前記ＩＰアドレスのＬＡＮパラメータの通信モードを半二重に修正する第二のパラメータ修正手順と
をコンピュータに実行させることを特徴とするＬＡＮパラメータ整合プログラム。
【００２３】
（付記３）  ＬＡＮパラメータをオートネゴシエーションモードに設定したネットワーク機器に対するＬＡＮパラメータ整合方法であって、
ネットワーク機器の送信パケットに対するレスポンス時間を計測し、計測結果が所定の時間を超えたとき、前記ネットワーク機器のＩＰアドレスを取得するレスポンス遅延検出手順と、
前記ＩＰアドレスの通信速度と通信モードとに対するリンクアップ情報を取得するリンクアップ情報取得手順と、
前記リンクアップ情報の通信モードが半二重であったとき、レスポンス遅延が発生したことを通知するレスポンス遅延通知手順と、
ＬＡＮパラメータの修正指示によって、前記ＩＰアドレスのＬＡＮパラメータの通信速度を前記リンクアップ情報と同一に、通信モードを全二重に修正するパラメータ修正手順と
を有することを特徴とするＬＡＮパラメータ整合方法。
【００２４】
（付記４）  ＬＡＮパラメータ設定をオートネゴシエーションモードに設定したネットワーク機器に対するＬＡＮパラメータ整合方法であって、
ネットワーク機器の送信パケットに対するレスポンス時間を計測し、計測結果が所定の時間を超えたとき、前記ネットワーク機器のＩＰアドレスを取得するレスポンス遅延検出手順と、
前記ＩＰアドレスの通信速度と通信モードとに対するリンクアップ情報を取得するリンクアップ情報取得手順と、
前記リンクアップ情報の通信モードが半二重であったとき、前記ＩＰアドレスのＬＡＮパラメータの通信速度を前記リンクアップ情報と同一に、通信モードを全二重に修正する第一のパラメータ修正手順と
パラメータ修正後の送信パケットに対するレスポンス時間を計測して前記レスポンス時間が所定の時間を超えたとき、前記ＩＰアドレスのＬＡＮパラメータの通信モードを半二重に修正する第二のパラメータ修正手順と
を有することを特徴とするＬＡＮパラメータ整合方法。
【００２５】
（付記５）  ＬＡＮパラメータ設定をオートネゴシエーションモードに設定したネットワーク機器に対するＬＡＮパラメータ整合システムであって、
ネットワーク機器の送信パケットに対するレスポンス時間を計測し、計測結果が所定の時間を超えたとき、前記ネットワーク機器のＩＰアドレスを取得するレスポンス遅延検出手段と、
前記ＩＰアドレスの通信速度と通信モードとに対するリンクアップ情報を取得するリンクアップ情報取得手段と、
前記リンクアップ情報の通信モードが半二重であったとき、前記ＩＰアドレスのＬＡＮパラメータの通信速度を前記リンクアップ情報と同一に、通信モードを全二重に修正する第一のパラメータ修正手段と
パラメータ修正後の送信パケットに対するレスポンス時間を計測して前記レスポンス時間が所定の時間を超えたとき、前記ＩＰアドレスのＬＡＮパラメータの通信モードを半二重に修正する第二のパラメータ修正手段と
を備えることを特徴とするＬＡＮパラメータ整合システム。
【００２６】
（付記６）  ＬＡＮパラメータ設定をオートネゴシエーションモードに設定したネットワーク機器に対するＬＡＮパラメータ整合プログラムを記録した記録媒体であって、
ネットワーク機器の送信パケットに対するレスポンス時間を計測し、計測結果が所定の時間を超えたとき、前記ネットワーク機器のＩＰアドレスを取得するレスポンス遅延検出手順と、
前記ＩＰアドレスの通信速度と通信モードとに対するリンクアップ情報を取得するリンクアップ情報取得手順と、
前記リンクアップ情報の通信モードが半二重であったとき、前記ＩＰアドレスのＬＡＮパラメータの通信速度を前記リンクアップ情報と同一に、通信モードを全二重に修正する第一のパラメータ修正手順と
パラメータ修正後の送信パケットに対するレスポンス時間を計測して前記レスポンス時間が所定の時間を超えたとき、前記ＩＰアドレスのＬＡＮパラメータの通信モードを半二重に修正する第二のパラメータ修正手順と
を実行させるためのプログラムを記録したコンピュータ読み取り可能な記録媒体。
【００２７】
【発明の効果】
本発明のＬＡＮパラメータ整合プログラムおよびＬＡＮパラメータ整合システムによれば、ネットワークスキルのない者でも適正なＬＡＮパラメータの修正が行え、レスポンス遅延の解消を図ることができる。
【図面の簡単な説明】
【図１】請求項１の原理図である。
【図２】請求項２の原理図である。
【図３】本発明の実施構成例（その１）である。
【図４】コマンドスクリプトＬの記述例である。
【図５】コマンドスクリプトＰの記述例である。
【図６】ＬＡＮパラメータのデータ構成例である。
【図７】処理フロー例（その１）である。
【図８】リンクアップ情報の取得例である。
【図９】レスポンス遅延の通知画面例である。
【図１０】本発明の実施構成例（その２）である。
【図１１】処理フロー例（その２）である。
【符号の説明】
１：レスポンス遅延検出手順
２：リンクアップ情報取得手順
３：レスポンス遅延通知手順
４：パラメータ修正手順
５：第一のパラメータ修正手順
６：第二のパラメータ修正手順
１０：サーバ
２０：ＬＡＮパラメータ整合システム
２１：レスポンス遅延検出部
２２：リンクアップ情報取得部
２３：レスポンス遅延通知部
２４：パラメータ修正部
２５：コマンドスクリプトＬ
２６：コマンドスクリプトＰ
２７：ＬＡＮ情報テーブル
３０：ＬＡＮカード
４０：ハブ
【図１】
0003945288.tif 000002
【図２】
0003945288.tif 000003
【図３】
0003945288.tif 000004
【図４】
0003945288.tif 000005
【図５】
0003945288.tif 000006
【図６】
0003945288.tif 000007
【図７】
0003945288.tif 000008
【図８】
0003945288.tif 000009
【図９】
0003945288.tif 000010
【図１０】
0003945288.tif 000011
【図１１】
0003945288.tif 000012